(57)【特許請求の範囲】
【請求項１】
前後方向、及び前記前後方向に直交する幅方向と、
着用者の膣口と対向する股下域と、
前記股下域よりも後方に位置する後側域と、
少なくとも前記股下域と前記後側域に配置され、吸収コアを有する吸収体と、
着用物品に接合するための接合部と、
前記吸収コアは、前記吸収コアの外縁から前記幅方向の内側に向かって延びる切り欠き部と、前記切り欠き部よりも吸収材料の坪量が高いコア本体と、を有する、吸収性物品であって、
前記切り欠き部の前記前後方向の中心は、前記股下域の前記前後方向の中心に対して前記前後方向においてずれており、
前記切り欠き部の前記前後方向の長さは、前記股下域の前記前後方向の長さよりも短く、
前記接合部は、前記切り欠き部と重なる領域に設けられた接合延出部を有しており、
前記接合延出部の外側縁と前記コア本体の前記幅方向の距離は、前記コア本体の厚み以上である、吸収性物品。
【請求項２】
前記接合延出部の外側縁と前記コア本体の前記幅方向の距離は、前記切り欠き部の前記幅方向の長さに対する５０％以上である、請求項１に記載の吸収性物品。
【請求項３】
前記接合延出部の外側縁は、前記吸収コアの外側縁よりも前記幅方向の内側に位置する、請求項１又は請求項２に記載の吸収性物品。
【請求項４】
前記接合延出部は、間隔を空けて複数設けられている、請求項１から請求項３のいずれか１項に記載の吸収性物品。
【請求項５】
前記吸収コアは、保液性繊維を有し、
前記保液性繊維の平均繊維長は、前記間隔よりも短い、請求項４に記載の吸収性物品。
【請求項６】
前記コア本体の厚みは、前記コア本体と前記切り欠き部の境界から前記幅方向の内側に向かって高くなっている、請求項１から請求項５のいずれか１項に記載の吸収性物品。
【請求項７】
前記切り欠き部は、前記股下域の前記前後方向の中心よりも前側に位置する前切り欠き部と、前記股下域の前記前後方向の中心よりも後側に位置する後切り欠き部と、を有しており、
前記前切り欠き部の内側縁は、前記前切り欠き部の前記前後方向の中心よりも後側に位置し、
前記後切り欠き部の内側縁は、前記後切り欠き部の前記前後方向の中心よりも前側に位置する、請求項１から請求項６のいずれか１項に記載の吸収性物品。
【請求項８】
前記股下域には、少なくとも前記吸収コアを圧縮したコア圧搾部が複数設けられており、
複数の前記コア圧搾部のそれぞれの前記幅方向の両側には、前記接合部が設けられている、請求項１から請求項７のいずれか１項に記載の吸収性物品。
【請求項９】
前記股下域には、前記着用物品の非肌面側に折り返されるウイングが設けられており、
前記吸収コアにおいて最も幅方向の長さが長いコア最大幅部は、前記ウイングの前端縁よりも後側、かつ前記ウイングの後端縁よりも前側に配置されている、請求項１から請求項８のいずれか１項に記載の吸収性物品。
【請求項１０】
前記吸収コアよりも肌面側に位置する肌側シートと、前記吸収コアよりも非肌面側に位置する非肌側シートと、を少なくとも圧縮したシート圧搾部と、
前記吸収性物品の使用前において前記接合部の非肌面側を覆う被覆シートと、を有しており、
前記シート圧搾部は、厚み方向に凹む凹部を有しており、
前記凹部と重なる領域において、前記被覆シートと前記非肌側シートは、接合されている、請求項１から請求項９のいずれか１項に記載の吸収性物品。
【請求項１１】
前記吸収コアよりも肌面側に位置する肌側シートと、前記吸収コアよりも非肌面側に位置する非肌側シートと、を少なくとも圧縮したシート圧搾部を有しており、
前記シート圧搾部と前記接合部との距離は、前記コア本体の厚み以下である、請求項１から請求項９のいずれか１項に記載の吸収性物品。
【請求項１２】
前記吸収性物品は、前記幅方向に延びる複数の折り目を基点に折り畳まれており、
前記切り欠き部のうち少なくとも一部は、前記幅方向に延びる複数の折り目のうち最も前側に位置する折り目よりも後側に設けられている、請求項１から請求項１１のいずれか１項に記載の吸収性物品。
【請求項１３】
前記吸収性物品は、前記幅方向に延びる折り目を基点に折り畳まれており、
前記吸収性物品は、前記幅方向の内側へ延びる一対の括れ部を有しており、
前記括れ部と前記切り欠き部は、前記幅方向において対向して位置しており、
前記折り目は、前記括れ部、前記切り欠き部及び前記コア本体を跨いで配置されている、請求項１から請求項１２いずれか１項に記載の吸収性物品。
【発明の詳細な説明】
【技術分野】
【０００１】
本発明は、下着等の着用物品に接合される吸収性物品に関する。
【背景技術】
【０００２】
特許文献１は、下着等の着用物品に接合される吸収性物品としての生理用ナプキンを開示している。特許文献１の吸収性物品には、吸収体の両側部において幅方向の内側に突出する一対の切り欠き部と、切り欠き部よりも幅方向の内側及び切り欠き部よりも前後方向の外側において切り欠き部よりも剛性の高いコア本体と、が設けられている。切り欠き部は、股下域と後側域の境界に設けられている。特許文献１の吸収性物品によれば、股下域を挟んで配置された脚が交互に動かされた場合等、股下域に捻れる力が作用した場合に、一対の切り欠き部がそれぞれ変形し切り欠き部で捻じれ方向の力による変形を吸収し、後側域の変形を少なくできる。
【先行技術文献】
【特許文献】
【０００３】
【特許文献１】特開２０１７−１３６１１１号公報
【発明の概要】
【発明が解決しようとする課題】
【０００４】
切り欠き部は、吸収体の外側部に配置され、脚によって吸収性物品が挾まれた際等、幅方向の外側から内側に向かう力を受けた際に変形し易い。切り欠き部が変形して、その面積を確保できないと、切り欠き部によって捻れ方向の力を吸収できないおそれがある。そのため、幅方向の外側から内側に向かう力を受けた際にも、切り欠き部によって捻れる力を吸収し続け易い吸収性物品が求められている。
【０００５】
そこで、捻れる力を吸収し続け易い吸収性物品を提供することを目的とする。
【課題を解決するための手段】
【０００６】
一態様に係る吸収性物品は、前後方向、及び前記前後方向に直交する幅方向と、着用者の膣口と対向する股下域と、前記股下域よりも後方に位置する後側域と、少なくとも前記股下域と前記後側域に配置され、吸収コアを有する吸収体と、着用物品に接合するための接合部と、前記吸収コアの側縁から前記幅方向の内側に向かって延びる一対の切り欠き部と、前記切り欠き部よりも吸収材料の坪量が高いコア本体と、を有する。前記切り欠き部の前記前後方向の中心は、前記股下域の前記前後方向の中心に対して前記前後方向においてずれている。前記切り欠き部の前記前後方向の長さは、前記股下域の前記前後方向の長さよりも短い。前記接合部は、前記切り欠き部と重なる領域に設けられた接合延出部を有している。前記接合延出部の外側縁と前記コア本体の前記幅方向の距離は、前記コア本体の厚み以上である。
【図面の簡単な説明】
【０００７】
【図１】実施形態における吸収性物品の肌面側から見た平面図である。
【図２】実施形態における吸収性物品の非肌面側から見た平面図である。
【図３】図１のＡ−Ａ線に沿った吸収性物品の断面図である。
【図４】図１に示すＢ部分の拡大平面図である。
【図５】図３のＣ部分の変形態様を模式的に示した図である。
【図６】変形例に係る接合延出部を示した図である。
【発明を実施するための形態】
【０００８】
（１）実施形態の概要
本明細書及び添付図面の記載により、少なくとも以下の事項が明らかとなる。
一態様に係る吸収性物品は、前後方向、及び前記前後方向に直交する幅方向と、着用者の膣口と対向する股下域と、前記股下域よりも後方に位置する後側域と、少なくとも前記股下域と前記後側域に配置され、吸収コアを有する吸収体と、着用物品に接合するための接合部と、前記吸収コアの側縁から前記幅方向の内側に向かって延びる一対の切り欠き部と、切り欠き部よりも吸収材料の坪量が高いコア本体と、を有する。前記切り欠き部の前記前後方向の中心は、前記股下域の前記前後方向の中心に対して前記前後方向においてずれている。前記切り欠き部の前記前後方向の長さは、前記股下域の前記前後方向の長さよりも短い。前記接合部は、前記切り欠き部と重なる領域に設けられた接合延出部を有している。前記接合延出部の外側縁と前記コア本体の前記幅方向の距離は、前記コア本体の厚み以上である。本態様によれば、コア本体からコア本体の厚み分以上幅方向の外側に位置する箇所で、切り欠き部と重なる領域が着用物品に接合される。コア本体と、コア本体の厚み以上幅方向の外側に位置する箇所と、の間の領域では、吸収性物品が着用物品に追従し易く、着用物品の剛性によって切り欠き部のよれを低減できる。そのため、幅方向の外側から内側に向かう力がかかった場合に、切り欠き部と重なる領域が着用物品に接合される領域は、コア本体の厚み方向に延びる側面に沿って配置されるとともに、着用者側に対向するように平面方向に沿って配置される。そのため、切り欠き部を平面方向に沿って配置し続けることができ、切り欠き部を介して捻れ方向の力を吸収し続けることができる。
【０００９】
好ましい一態様によれば、前記接合延出部の外側縁と前記コア本体の前記幅方向の距離は、前記切り欠き部の前記幅方向の長さに対する５０％以上であってよい。コア本体から切り欠き部の幅方向の半分以上外側に位置する箇所で、切り欠き部と重なる領域が着用物品に接合される。切り欠き部のよれを低減できる領域が、切り欠き部の幅方向の長さに対する５０％以上となる。切り欠き部を平面方向に沿って配置し続ける領域の面積をより確保し易く、切り欠き部を介して捻れ方向の力を吸収し続けることができる。
【００１０】
好ましい一態様によれば、前記接合延出部の外側縁は、前記吸収コアの外側縁よりも前記幅方向の内側に位置してよい。接合延出部よりも幅方向の外側に吸収コアの外側縁が配置されているため、吸収性物品を着用物品に装着する際に、吸収コアの剛性によって切り欠き部の形状及び接合延出部の形状を維持できる。切り欠き部の形状を維持して着用物品に装着できるため、着用時に切り欠き部を介して捻れ方向の力を吸収し続けることができる。また、接合延出部のよれに起因して接合延出部が意図せずに接合する不具合を抑制できる。
【００１１】
好ましい一態様によれば、前記接合延出部は、間隔を空けて複数設けられてよい。接合延出部間の間隔は、着用物品に接合されてなく、比較的自由に変形し易い緩衝領域として機能する。切り欠き部と重なる領域内で変形し易い箇所を設けることにより、接合延出部の着用物品に対する接合状態を維持し易い。
【００１２】
好ましい一態様によれば、前記吸収コアは、保液性繊維を有し、前記保液性繊維の平均繊維長は、前記間隔よりも短くてよい。パルプ等の保液性繊維は、体液を吸収する吸収コアにおいて主となる素材である。当該保液性繊維の平均繊維長が接合延出部の間隔よりも短いため、保液性繊維が接合延出部の同士を跨ぎにくく、各接合延出部がそれぞれ独立して変形し易い。そのため、接合延出部同士の間隔が緩衝領域としてより機能し易く、接合延出部の着用物品に対する接合状態を維持し易い。
【００１３】
好ましい一態様によれば、前記コア本体の厚みは、前記コア本体と前記切り欠き部の境界から前記幅方向の内側に向かって高くなってよい。吸収性物品が脚によって挟まれると、吸収性物品は、その側方から幅方向の内側に押圧される。また、両脚間の隙間が排泄口から離れた側（脚元側）から排泄口側に向かって狭くなっているため、吸収性物品が脚によって挟まれると、吸収性物品は、肌面側から押圧される。そのため、コア本体の切り欠き部側の縁における肌面に力がかかり易い。このとき、コア本体の厚みがコア本体と切り欠き部の境界から幅方向の内側に向かって高くなっているため、コア本体の切り欠き部側の縁の当たりを和らげることができる。コア本体の局所的な変形を抑制し、コア本体の形状を維持できる。その結果、切り欠き部の形状を維持し続け易く、切り欠き部を介して捻れ方向の力を吸収し続けることができる。
【００１４】
好ましい一態様によれば、前記切り欠き部は、前記股下域の前記前後方向の中心よりも前側に位置する前切り欠き部と、前記股下域の前記前後方向の中心よりも後側に位置する後切り欠き部と、を有しており、前記前切り欠き部の内側縁は、前記前切り欠き部の前記前後方向の中心よりも後側に位置し、前記後切り欠き部の内側縁は、前記後切り欠き部の前記前後方向の中心よりも前側に位置してよい。本態様によれば、股下域の前後方向の中心に対する前側と後側に切り欠き部が設けられているため、股下域、前側域、及び後側域のそれぞれに掛かった力を分断し、他の領域に変形が伝播することを抑制できる。また、前切り欠き部の内側縁が股下域の前後方向の中心側に向かっているため、捻れ方向の変形を前後方向に拡散させずに、前切り欠き部と後切り欠き部によって挟まれた領域等の前後方向の狭い範囲で変形させ、他の領域に変形が伝播することを抑制できる。
【００１５】
好ましい一態様によれば、前記股下域には、少なくとも前記吸収コアを圧縮したコア圧搾部が複数設けられており、前記複数のコア圧搾部のそれぞれの前記幅方向の両側には、前記接合部が設けられてよい。本態様によれば、複数のコア圧搾部のそれぞれの前記幅方向の両側は、接合部を介して着用物品に接合されており、着用物品から浮き上がりにくい。コア圧搾部は、両側の接合部を基点として変形し易い。基点が両側に設けられていることにより、剛性差によってコア圧搾部を基点により変形し易くなる。コア圧搾部を基点に変形して、外力を吸収することにより、切り欠き部の形状を維持し易い。
【００１６】
好ましい一態様によれば、前記股下域には、前記着用物品の非肌面側に折り返されるウイングが設けられており、前記吸収コアにおいて最も幅方向の長さが長いコア最大幅部は、前記ウイングの前端縁よりも後側、かつ前記ウイングの後端縁よりも前側に配置されてよい。コア最大幅部は、脚に当たり易く、特に着用物品から浮き上がっている場合には、当たりが強くなって、その形状を維持し難いことがある。しかし、コア最大幅部は、ウイングの前端縁よりも後側、かつ前記ウイングの後端縁よりも前側に配置されており、着用状態においてウイングを介して着用物品側に巻き付けられる。そのため、コア最大幅部が着用物品から浮き上がり難く、コア最大幅部が脚に当たり難くなり、その形状を維持し易い。股下域において吸収コアの幅方向の長さを確保し、横漏れを抑制しつつ、吸収コアの形状を維持し続けることができる。
【００１７】
好ましい一態様によれば前記吸収コアよりも肌面側に位置する肌側シートと、前記吸収コアよりも非肌面側に位置する非肌側シートと、を少なくとも圧縮したシート圧搾部と、前記吸収性物品の使用前において前記接合部の非肌面側を覆う被覆シートと、を有しており、前記シート圧搾部は、厚み方向に凹む凹部を有しており、前記凹部と重なる領域において、前記被覆シートと前記非肌側シートは、接合されてよい。本態様によれば、被覆シートと前記非肌側シートが接合されていることにより、被覆シートによって接合部をより保護でき、吸収性物品の使用前における接合部の劣化を抑制できる。
【００１８】
好ましい一態様によれば、前記吸収コアよりも肌面側に位置する肌側シートと、前記吸収コアよりも非肌面側に位置する非肌側シートと、を少なくとも圧縮したシート圧搾部を有しており、前記シート圧搾部と前記接合部との距離は、前記コア本体の厚み以下であってよい。シート圧搾部を設けることにより、シート圧搾部による凹凸が形成されるとともに、シートが圧縮された結果、その周囲に微細な凹凸が形成される。シート圧搾部からコア本体の厚み分まで離れた範囲内では、その微細な凹凸が特に形成され易い。微細な凹凸が形成された領域に接合部が設けられていることにより、接合部が微細な凹凸内に入り込み、接合部の面積を確保し、接合強度を高めることができる。
【００１９】
好ましい一態様によれば、前記吸収性物品は、前記幅方向に延びる複数の折り目を基点に折り畳まれており、前記切り欠き部のうち少なくとも一部は、前記幅方向に延びる複数の折り目のうち最も前側に位置する折り目よりも後側に設けられてよい。本態様によれば、着用者が吸収性物品の前側に位置する折り目にクロッチ部の前端縁を合わせた際に、切り欠き部の少なくとも一部がクロッチ部に配置される。クロッチ部の剛性によって切り欠き部の変形を抑制でき、捻れ方向の力を吸収し続けることができる。
【００２０】
好ましい一態様によれば、前記吸収性物品は、前記幅方向に延びる折り目を基点に折り畳まれており、前記吸収性物品は、前記幅方向の内側へ延びる一対の括れ部を有しており、前記括れ部と前記切り欠き部は、前記幅方向において対向して位置しており、前記折り目は、前記括れ部、前記切り欠き部及び前記コア本体を跨いで配置されてよい。括れ部と前記切り欠き部を折り目が跨がっており、括れ部と前記切り欠き部が変形し易い領域であるため、折り目を基点に折り畳み易くなる。また、括れ部と前記切り欠き部が変形し易い領域であるため、一旦折り畳まれた状態から展開する際に、折り目を基点に展開され易い。また、括れ部によっても着用時の捻れ方向の力を吸収できる。加えて、括れ部と切り欠き部に折り目による変形基点が形成されるため、着用時に捻れ方向の力が作用した際に、当該変形基点によって柔軟に変形し易く、捻れ方向の力を吸収し易い。
【００２１】
（２）実施形態に係る吸収性物品
以下、図面を参照して、実施形態に係る吸収性物品ついて説明する。吸収性物品は、生理用ナプキン、パンティライナー及び、大人用失禁パッドを含む。吸収性物品は、下着等の着用物品の内側に取り付けられて使用される物品であってよい。なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００２２】
図１は、実施形態における肌面側から見た吸収性物品の平面図である。図２は、実施形態における非肌面側から見た吸収性物品の平面図である。図３は、図１に示すＡ−Ａ線に沿った断面図である。ここで、「肌面側」は、使用中に着用者の肌に面する側に相当する。「非肌面側」は、使用中に着用者の肌とは反対に向けられる側に相当する。なお、図３の断面図では、説明の便宜上、吸収性物品を構成する構成部材を厚み方向に離間させている。しかし、実際の製品では、構成部材同士は、厚み方向に接しており、また、コア圧搾部８０及びシート圧搾部８８による凹みが形成されている。
【００２３】
吸収性物品は、スポーツ用の吸収性物品であってよい。スポーツ用の吸収性物品は、スポーツ時に適した吸収性物品である。ここで、スポーツ用の吸収性物品とは、以下の１から３の少なくともいずれかに当てはまる吸収性物品である。１、吸収性物品自体、吸収性物品を個別に包装する包装シート、及び吸収性物品を複数収容したパッケージのうち少なくともいずれかに、スポーツ用であること、またはスポーツを想起させる文字や絵柄を有する吸収性物品。２、吸収性物品の販促ツール（広告、販売促進物）において、スポーツ用であることを示した吸収性物品。３、普通の生活では行われないスポーツ時ならではの動作にて違和感なく使用することができる吸収性物品。例えば、脚を大きく動かす等のスポーツの動きを阻害しない柔軟性がある吸収性物品。長時間走り続ける等長時間のスポーツにおいても吸収体や吸収性物品が破損せずに使用することができる耐久性がある吸収性物品。着用者が汗をかいてもヨレやズレが発生せず装着感に違和感がない吸収性物品。本実施形態は、コア圧搾部及び切り欠き部によってスポーツ時のねじれを吸収し、スポーツ時に違和感なく使用できるように構成されている。
【００２４】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌面側Ｔ１から非肌面側Ｔ２へ延びる方向であり、前後方向Ｌ及び幅方向Ｗに直交する方向である。肌面側Ｔ１は、使用時に、着用者の肌に面する側に相当する。非肌面側Ｔ２は、使用時に、肌面側Ｔ１とは反対側、すなわち着用者の肌とは反対に向けられる側に相当する。
【００２５】
吸収性物品１は、股下域Ｓ３、前側域Ｓ１及び後側域Ｓ２を有する。股下域Ｓ３は、着用者の排泄口（例えば膣口）に対向する領域である。吸収性物品が下着に装着されたときに、股下域Ｓ３は、下着の股下部に位置する。つまり、股下域Ｓ３は、着用者の股下、すなわち着用者の両足の間に配置される領域である。前側域Ｓ１は、股下域Ｓ３よりも前側に位置する。前側域Ｓ１の前端縁は吸収性物品１の前端縁を規定する。後側域Ｓ２は、股下域Ｓ３よりも後側に位置する。後側域Ｓ２の後端縁は吸収性物品１の後端縁を規定する。後側域Ｓ２の前後方向Ｌの長さは、股下域Ｓ３の前後方向Ｌの長さよりも長くなってよい。
【００２６】
股下域Ｓ３には、後述するウイング３が設けられてよい。ウイング３の前端縁３Ｆは、ウイング３の付け根によって規定されており、最も幅方向Ｗの内側に窪んだ２つの部分のうち、前側に位置する部分に相当する。ウイング３の前端縁３Ｆは、股下域Ｓ３と前側域Ｓ１との境界を規定してもよい。ウイング３の後端縁３Ｒは、ウイング３の付け根によって規定されており、最も幅方向Ｗの内側に窪んだ２つの部分のうち、後側に位置する部分に相当する。ウイング３の後端縁３Ｒは、股下域Ｓ３と後側域Ｓ２との間に位置してよい。ここで、前後方向Ｌにおけるウイング３の前端縁とウイング３の後端縁との間の領域を「ウイング域」と称する。また、ウイングを有する吸収性物品では、股下域Ｓ３は、ウイング域と実質的に同じ領域となる。したがって、本明細書において、「股下域Ｓ３」との語は、「ウイング域」と読み替えることができることに留意すべきである。また、股下域Ｓ３は、ウイングを有しない吸収性物品にあっては、吸収コア３１を前後方向Ｌに三等分した真ん中の領域であってもよいし、高坪量部３３を有する吸収性物品にあっては、高坪量部３３を有する領域であってもよい。
【００２７】
股下域Ｓ３は、股下中心線Ｓ３ＣＬを含む股下中心部Ｓ３１と、股下中心部Ｓ３１よりも前後方向Ｌの外側に位置する股下端部Ｓ３２と、を有する。股下中心線Ｓ３ＣＬは、股下域Ｓ３における前後方向Ｌの中心を通り、かつ幅方向Ｗに延びるラインである。股下中心部Ｓ３１は、股下中心線Ｓ３ＣＬを含み、股下中心線Ｓ３ＣＬから前後方向に一定の範囲を有する領域である。股下端部Ｓ３２は、股下域Ｓ３の前端縁から一定の範囲を有する領域と、股下域Ｓ３の後端縁から一定の範囲を有する領域と、によって構成されている。股下中心部Ｓ３１は、前後方向において股下端部Ｓ３２によって挟まれている。股下中心部Ｓ３１は、股下域Ｓ３を前後方向Ｌに３等分した領域のうち、中央に位置する領域によって構成されている。
【００２８】
吸収性物品１は、肌側シート１０、非肌側シート２０及び吸収体３０を有する。肌側シート１０は、吸収コア３１よりも肌面側Ｔ１に設けられる。非肌側シート２０は、吸収コア３１よりも非肌面側Ｔ２に設けられる。吸収体３０は、肌側シート１０と非肌側シート２０との間に設けられる。肌側シート１０は、体液等の液体を透過する液透過性のシートであり、不織布、織布、有孔プラスチックシート、メッシュシート等、液体を透過する構造を有する任意のシート状の材料から構成される。また、肌側シート１０は、吸収コア３１の幅方向の中央を覆う表面シート１１と、表面シート１１の外側部を覆い、かつ表面シート１１から幅方向の外側に延びるサイドシート１２によって構成されよい。表面シート１１は、少なくとも吸収コア３１の幅方向Ｗの中央を覆い、サイドシート１２は、幅方向Ｗにおける表面シート１１の外側部を覆い、表面シート１１よりも幅方向Ｗの外側へ延びてよい。サイドシート１２は、防漏性の観点から疎水性のシートを用いてもよい。
【００２９】
なお、本明細書における外縁とは、平面視にて外側に位置する縁であり、前側に位置する前端縁、幅方向の外側に位置する外側縁、後側に位置する後端縁を含む。外側部とは、幅方向Ｗにおける外側縁を含む幅方向Ｗに一定の範囲を占める部分であり、外側縁とは、幅方向Ｗにおける外側縁である。本発明における内側部とは、幅方向Ｗにおける内縁を含む幅方向Ｗに一定の範囲を占める部分であり、内側縁とは、幅方向Ｗにおける内縁である。また、本発明における前端部及び後端部は、前後方向Ｌにおける縁を含む前後方向Ｌに一定の範囲を占める部分であり、前端縁及び後端縁は、前後方向Ｌにおける縁である。外端部は、前端部及び後端部を含んでいる。
【００３０】
非肌側シート２０は、液不透過性のシートである。非肌側シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。吸収体３０は、吸収コア３１を有する。吸収コア３１は、少なくとも股下域Ｓ３及び後側域Ｓ２に配置される。また、吸収コア３１は、前側域Ｓ１にも配置されてよい。吸収コア３１は、液体を吸収する吸収材料が積層されており、コアラップ（図示せず）によって覆われてよい。吸収コア３１を構成する吸収材料は、例えば、親水性繊維、保液性繊維としてのパルプ、及び高吸水性高分子（ＳＡＰ）から形成できる。吸収コア３１は、保液性繊維を含んでいてよい。保液性繊維は、パルプを例示でき、体液を吸収する吸収コア３１において主となる素材である。例えば、吸収コア３１における保液性繊維の重量比率は、８０％以上であってよい。コアラップは、例えば不織布やティッシュから構成することができる。コアラップは、吸収コア３１よりも肌面側Ｔ１と吸収コア３１よりも非肌面側Ｔ２にそれぞれ配置されてよい。変形例として、吸収コア３１は、コアラップを有していなくてもよい。この場合、吸収コア３１は、肌側シート１０と非肌側シート２０とによって覆われていればよい。
【００３１】
本実施の形態の吸収性物品は、スポーツ用に好適な吸収性物品であり、着用時よれないことが求められる。そのため、吸収体の吸収コアには、親水性、保液性繊維以外の素材（例えば、熱可塑性樹脂繊維、再生セルロース繊維（例えば、レーヨン繊維）、半合成繊維（例えば、アセテート繊維））が含まれていてもよい。本実施の形態の吸収コアには、熱可塑性樹脂繊維が保液性繊維とともに含まれている。熱可塑性樹脂繊維は、単一の成分を含むもの、例えば、単一繊維、又は複数の成分を含むもの、例えば、複合繊維を例示できる。上記成分としては、ポリエチレン、ポリプロピレン、ポリブチレン、エチレン−酢酸ビニル共重合体、エチレン−アクリル酸エチル共重合体、エチレン−アクリル酸共重合体、アイオノマー樹脂等のポリオレフィン；ポリエチレンテレフタラート（ＰＥＴ）、ポリブチレンテレフタラート（ＰＢＴ）、ポリトリメチレンテレフタラート（ＰＴＴ）、ポリ乳酸等のポリエステル；ナイロン等のポリアミド等が挙げられる。複合繊維の例としては、例えば、芯鞘型繊維、サイドバイサイド型繊維、島／海型繊維等の複合繊維；中空型繊維；扁平、Ｙ型、Ｃ型等の異型繊維；潜在捲縮又は顕在捲縮の立体捲縮繊維；水流、熱、エンボス加工等の物理的負荷により分割する分割繊維等が挙げられ、そして工業的に安価に得られ且つ安全性が高い、芯鞘型繊維、特に、ＰＥＴ／ＰＥ、ＰＰ／ＰＥ（芯／鞘）等が好ましい。さらに詳細説明すると、本開示の吸収コアでは、６〜７０ｍｍ、より好ましくは１０〜５０ｍｍ、そしてさらに好ましくは１５〜４０ｍｍの平均繊維長を有する熱可塑性樹脂繊維が含まれており、吸収コアの骨格として機能しやすくなる。なお、保液性繊維と熱可塑性樹脂繊維（疎水性繊維）とを有する場合、吸収コアは、これらの繊維同士が互いに混合した状態で形成される。えて、熱可塑性樹脂繊維はヒンジ部が圧搾される際には、繊維同士が融着されていてよく、これにより吸収コアの骨格がゆがみにくく、ヨレ耐性が向上し、スポーツシーンにおいても耐久性を向上させることができる。
【００３２】
前述したように、吸収性物品１は、ウイング３を有する。ウイング３は、股下域Ｓ３における吸収コア３１の外側縁３１Ｅよりも幅方向Ｗの外側に延出している。ウイング３は、肌側シート１０と非肌側シート２０との積層によって構成されてよい。ウイング３は、非肌側シート２０側に折り返し可能に構成されている。ウイング３は、使用時に着用物品としての下着のクロッチ部の非肌面側に折り返される。変形例において、吸収性物品１は、ヒップフラップを有してよい。ヒップフラップは、ウイング３と同様に、股下域Ｓ３における吸収コア３１の外側縁３１Ｅよりも幅方向Ｗの外側に延出し、肌側シート１０と非肌側シート２０との積層によって構成されてよい。ヒップフラップは、ウイング３よりも後側に位置し、後側域Ｓ２に設けられてよい。ヒップフラップは、使用時に折り返されず、下着と着用者の臀部との間に配置される。ヒップフラップには、吸収材料が設けられてなくてもよいし、吸収材料が設けられてもよい。ここで、吸収コア３１の外側縁３１Ｅは、吸収コア３１の外縁において最も幅方向に位置する箇所である。吸収コアの外縁は、吸収コアの平面視における外形を形成する縁である。
【００３３】
図２に示すように、吸収性物品１は、吸収性物品１を下着等の着用物品に接合するための接合部を有する。接合部は、ＨＭＡ型接着剤等の粘着剤が塗布された部分であってよい。接合部は、吸収コア３１と重なる領域に配置された本体接合部６１と、ウイング３に配置されたウイング接合部６２と、を有してよい。本体接合部６１は、前後方向Ｌに延び、かつ幅方向Ｗに間隔を空けて配置されている。本体接合部６１は、吸収性物品１の幅方向Ｗの中心である物品幅中心線１ＷＣに配置されてなく、物品幅中心線１ＷＣの幅方向Ｗの両側にそれぞれ複数列ずつ配置されている。ここで、物品幅中心線１ＷＣは、吸収性物品１の幅方向Ｗの中心を通り、かつ前後方向Ｌに延びるラインである。具体的には、本体接合部６１は、物品幅中心線１ＷＣの幅方向Ｗの両側にそれぞれ８列ずつ配置されている。最も幅方向Ｗの外側の列に位置する本体接合部６１の前後方向の長さは、他の本体接合部６１の前後方向の長さよりも長くてよい。これらの接合部は、非肌側シート２０の非肌面側に設けられている。接合部は、使用前の状態において、被覆シート７０によって覆われてもよい。被覆シート７０は、使用前に接合部の非肌面側を覆う。被覆シート７０は、吸収性物品１の使用前における接合部の劣化を防止し、吸収性物品１の使用時に着用者によって取り外される。
【００３４】
吸収性物品１は、シート圧搾部８８が設けられてよい。シート圧搾部８８は、肌側シート１０と非肌側シート２０が少なくとも圧縮されている。シート圧搾部８８は、吸収コア３１と重ならない領域に設けられてよく、吸収性物品１の外側部に沿って設けられよい。図３に示すように、シート圧搾部８８は、厚み方向に凹む凹部を有してよい。シート圧搾部８８は、複数の点状部分の集合体によって構成されていてもよいし、線状であってもよい。
【００３５】
吸収コア３１は、切り欠き部３５とコア本体３６を有する。切り欠き部３５は、吸収コアの外縁から幅方向Ｗの内側に突出しており、幅方向Ｗに離間して一対で設けられている。図１において、複数の切り欠き部３５のうち一の切り欠き部３５に斜線を付して示す。切り欠き部３５は、吸収材料の設計上の坪量が０の部分であってもよいし、設計上の坪量が０であるが、コア本体３６が流入した吸収材料が配置された部分であってもよい。すなわち、切り欠き部３５は、吸収材料の坪量が実質的に０の領域である。コア本体３６は、切り欠き部よりも吸収材料の坪量が高い部分である。コア本体３６の厚みＴ３６は、断面視にて、コア本体３６の厚みＴ３６が一定の領域のうち、最もコア本体３６の外縁側の箇所の厚みである。換言すると、コア本体３６の厚みＴ３６は、コア本体３６の厚みが外縁から内側に向かって徐々に厚くなる形態において、最初に厚みが一定となる（肌面が平坦となった）位置の厚みである。コア本体３６は、切り欠き部３５よりも幅方向の内側と、切り欠き部３５よりも前後方向の外側（前側及び後側）と、に設けられてよく、切り欠き部３５よりも剛性が高い。切り欠き部３５は、吸収コアの外縁から幅方向の内側に向かって延びている。切り欠き部３５は、吸収コア３１が配置されてない部分であって、コアラップが配置された領域であってよく、コア本体３６は、吸収コア３１及びコアラップが配置された領域であってよい。また、切り欠き部３５及びコア本体３６等、各部の剛性の比較は、周知の方法で行えばよい。例えば、各部の剛性値として、ガーレー剛軟度によって測定された値をサンプル片の長さで割った値を例示できる。ガーレー剛軟度の測定は、（株）安田精機製作所製のＮｏ３１１のガーレー式柔軟度試験機を用いて、ＪＩＳ−Ｌ１０９６に準拠して測定できる。その他、切り欠き部がコア本体に比べて、構成する部材が少なくなっていることや、吸収コアの坪量が低くなっていることを、目視で比較してもよい。
【００３６】
図４は、図１に示すＢ部分の拡大図である。図４に示すように、切り欠き部３５は、切り欠き部３５において最も幅方向Ｗの内側に位置する内側縁３５１と、内側縁３５１から幅方向Ｗの外側に向かって延びる側辺と、を有する。側辺は、内側縁３５１から分岐しており、前側に位置する前側辺３５２と、後側に位置する後側辺３５３と、を有する。切り欠き部３５は、前側辺３５２の外側縁である前側縁３５４と、後側辺３５３の外側縁である後側縁３５５と、を有する。前側辺３５２において最も幅方向の外側に位置する縁は、前側縁３５４であり、前側辺３５２において最も幅方向の内側に位置する縁は、内側縁３５１である。後側辺３５３において最も幅方向の外側に位置する縁は、後側縁３５５であり、後側辺３５３において最も幅方向の内側に位置する縁は、内側縁３５１である。内側縁３５１、前側辺３５２、後側辺３５３、前側縁３５４及び後側縁３５５は、いずれも吸収コアの側縁上に位置する。切り欠き部３５は、幅方向Ｗの内側に向かって前後方向Ｌの長さが短くなる先細り形状であってよい。切り欠き部３５の前後方向Ｌの中心３５ＣＬは、股下域Ｓ３の前後方向Ｌの中心である股下中心線Ｓ３ＣＬに対して前後方向Ｌにずれている。すなわち、切り欠き部３５の前後方向Ｌの中心３５ＣＬは、股下中心線Ｓ３ＣＬ上に位置していない。切り欠き部３５は、股下中心線Ｓ３ＣＬよりも前側に位置する前切り欠き部Ｆ３５と、股下中心線Ｓ３ＣＬよりも後側に位置する後切り欠き部Ｒ３５と、を有してよい。すなわち、前後方向Ｌに間隔を空けて配置され、かつ幅方向Ｗに間隔を空けて配置されており、４つ形成されてよい。各切り欠き部３５の少なくとも一部は、股下端部Ｓ３２に配置されている。前切り欠き部Ｆ３５は、股下端部Ｓ３２と前側域Ｓ１に跨っており、後切り欠き部Ｒ３５は、股下端部Ｓ３２と後側域Ｓ２に跨っている。
【００３７】
ここで、切り欠き部３５の前後方向Ｌの中心は、前側縁３５４及び後側縁３５５が内側縁３５１よりも前後方向の外側に位置している場合には、前側縁３５４と後側縁３５５の前後方向の中心であり、前側縁３５４及び後側縁３５５よりも側辺（前側辺３５２、後側辺３５３）が前後方向の外側に位置している場合には、前後方向の外側に位置している側辺と前側縁３５４（又は後側縁３５５）の前後方向Ｌの中心であり、前側縁３５４及び後側縁３５５よりも内側縁３５１が前後方向の外側に位置している場合には、内側縁３５１と前側縁３５４（又は後側縁３５５）の前後方向Ｌの中心である。  
【００３８】
切り欠き部３５は、股下域Ｓ３の前後方向Ｌの中心からずれた位置に設けられている。着用時に脚の前後の動き等によって股下域Ｓ３に捻れ方向の力が作用した際に、切り欠き部３５を基点に吸収性物品１が変形し、捻れ方向の力を吸収できる。特に、スポーツ時等において着用者が比較的に大きな動作をすると、吸収性物品１のうち特に後側域Ｓ２に捩れさせようとする力が作用する。このとき、一対の後切り欠き部Ｒ３５によって後側域Ｓ２のねじれを吸収し、当該ねじれが股下中心部Ｓ３１に伝わり難くなる。また、後切り欠き部Ｒ３５は、股下中心部Ｓ３１よりも後側に配置されている。後切り欠き部Ｒ３５の少なくとも一部は、股下域Ｓ３の後端縁よりも前側に位置してよい。股下域Ｓ３にかかる幅方向Ｗの内側に向かう力を後切り欠き部Ｒ３５によって分断でき、後側域Ｓ２を臀部に沿わせるように配置できる。加えて、後側域Ｓ２からの力を後切り欠き部Ｒ３５によって分断でき、後側域Ｓ２にかかる力が股下中心部Ｓ３１に係り難くなり、股下中心部Ｓ３１における吸収コア３１の幅方向Ｗの長さを確保し、横漏れを抑制できる。
【００３９】
前切り欠き部Ｆ３５は、股下中心部Ｓ３１よりも前側に配置されている。股下中心部Ｓ３１よりも前側に前切り欠き部Ｆ３５が設けられているため、股下中心部Ｓ３１よりも前側に吸収コア３１の変形基点が形成される。一般的に、身体の前後方向Ｌに沿った断面において、排泄口よりも前側は、後側よりも急な傾斜の曲線状であり、吸収コア３１が身体に沿い難い。しかし、前切り欠き部Ｆ３５によって排泄口よりも前側に吸収コア３１が変形する基点が形成され、排泄口よりも前側の領域が身体に沿い易くなる。排泄口よりも前側の領域において体液の吸収性が高くなり、結果として排泄口よりも幅方向Ｗの外側に拡散する体液が少なくなり、横漏れを低減できる。また、前側域Ｓ１からの力を前切り欠き部Ｆ３５によって分断でき、前側域Ｓ１にかかる力が股下中心部Ｓ３１に係り難くなり、股下中心部Ｓ３１における吸収コア３１の幅方向Ｗの長さを確保し、横漏れを抑制できる。
【００４０】
切り欠き部３５の前後方向Ｌの長さは、股下域Ｓ３の前後方向Ｌの長さよりも短い。仮に、切り欠き部３５の前後方向Ｌの長さが股下域Ｓ３の前後方向Ｌの長さよりも長いと、切り欠き部３５の剛性を維持し難く、装着時に切り欠き部３５のよれが発生しやすい。切り欠き部３５の前後方向Ｌの長さが股下域Ｓ３の前後方向Ｌの長さよりも短いため、装着時の切り欠き部３５の変形を抑制し、切り欠き部３５のよれを抑制できる。切り欠き部３５のよれを抑制する構成については、後述にて詳細に説明する。
【００４１】
吸収性物品１は、吸収性物品１の幅方向Ｗにおける両方の側部において幅方向Ｗの内側へ延びる一対の括れ部９０を有してよい。括れ部９０は、前後方向Ｌにおいて隣接する領域よりも幅方向Ｗの内側に凹む部分である。本実施の形態の括れ部９０は、ウイング３の前端縁３Ｆ及び後端縁３Ｒに設けられている。括れ部９０は、前後方向Ｌに間隔を空けて配置され、かつ幅方向Ｗに間隔を空けて配置されており、４つ形成されている。各括れ部９０の少なくとも一部は、股下端部Ｓ３２に配置されている。前側に位置する前括れ部９１は、股下端部Ｓ３２と前側域Ｓ１に跨っており、後側に位置する後括れ部９２は、股下端部Ｓ３２と後側域Ｓ２に跨っている。吸収コアの切り欠き部及び、吸収性物品の括れ部９０は、ウイング３よりも前側及びウイング３よりも後側に複数あってもよく、本実施形態では前側は１つ、後ろ側は２つである。足の可動域を考慮した場合、歩行の動作でよりも大股等の走る動きの動作の場合のほうが可動域が広くなる。ただし可動域は、前側では歩こうが走ろうが大きな変化がないことと比較し、後方では変化しやすい。特に様々な動きをするスポーツシーンにおいてはどこでX字状に製品を変化させ、追従させることで、力を緩衝するかがポイントとなる。複数設けると意図しないねじれにより、身体から離れてしまう恐れも出ることから、これら背景を考慮すると、前側は１つ、後方は可動域に併せ、２つ設けることがよい。またこの間隔においても付け根の括れ部間よりも後方２つの括れ部間のほうが狭いことが好ましい。  
【００４２】
吸収性物品１には、少なくとも吸収コアが厚み方向に圧縮されたコア圧搾部８０が形成されてよい。コア圧搾部８０は、肌側シート１０と吸収コア３１が厚み方向に圧縮されていてもよい。コア圧搾部８０の少なくとも一部は、股下域Ｓ３に配置されてよい。コア圧搾部８０は、折曲圧搾部８１と、前圧搾部８２と、後圧搾部８３と、サイド圧搾部８５と、中央圧搾部８６と、を有してよい。折曲圧搾部８１は、吸収性物品１の幅方向Ｗの中心を挟んで前後方向に延びる。折曲圧搾部８１は、吸収コア３１に重なっていてよい。前圧搾部８２は、折曲圧搾部８１よりも前側に位置し、前側域Ｓ１と股下域Ｓ３に跨がって配置されてよい。後圧搾部８３は、折曲圧搾部８１よりも後側に位置し、後側域Ｓ２と股下域Ｓ３に跨がって配置されてよい。前圧搾部８２及び後圧搾部８３のそれぞれは、第１ライン及び第１ラインと交差部において交差する第２ラインを有するＸ字状であって、交差部から四方に延出する延出部を有してよい。前圧搾部８２は、股下中心部Ｓ３１よりも前側に設けられていてよい。後圧搾部８３は、股下中心線Ｓ３ＣＬよりも後側に設けられていてよい。前圧搾部８２及び後圧搾部８３は、平面視にてＸ字状であり、当該Ｘ字状の基点によって変形でき、ねじれを吸収したり、延出部に沿って力を四方に逃がしたりできる。  
【００４３】
サイド圧搾部８５は、平面視にて曲線状であり、間隔を空けて複数設けられている。サイド圧搾部８５は、幅方向Ｗの内側に膨らむ凸形状と、幅方向Ｗの外側に膨らむ凸形状と、が前後方向に連続したライン状であってよい。サイド圧搾部８５は、主に、折曲圧搾部８１よりも幅方向Ｗの外側と、前圧搾部８２よりも前側と、後圧搾部８３よりも後側と、に設けられてよい。サイド圧搾部８５は、折曲圧搾部８１、前圧搾部８２及び後圧搾部８３のそれぞれに重なる領域にも設けられてよい。サイド圧搾部８５は、折曲圧搾部８１よりも幅方向Ｗの内側に延出していてもよいし、前圧搾部８２よりも後側に延出していてもよいし、後圧搾部８３よりも前側に延出していてもよい。中央圧搾部８６は、一対の折曲圧搾部８１に挟まれた領域に設けられている。中央圧搾部８６は、点状であって、前後方向及び幅方向Ｗに間隔を空けて複数配置されている。中央圧搾部８６は、高坪量部３３が配置された領域に設けられてよい。
【００４４】
このように構成された吸収性物品１は、幅方向Ｗに延びる折り目を基点に折り畳まれてよい。より詳細には、吸収性物品１は、第１折り目ＦＬ１と、第２折り目ＦＬ２と、を基点に折り畳まれてよい。第１折り目ＦＬ２、第１折り目ＦＬ１よりも前側に位置し、複数の折り目のうち最も前側に位置する折り目である。吸収性物品１のみが折り目を基点に折り畳まれていてもよいし、吸収性物品１を個別に包装する包装シートと吸収性物品１とが共に折り目を基点に折り畳まれていてもよい。変形例において、吸収性物品１は、前後方向Ｌに延びる前後折り目を基点に折り畳まれてよい。当該変形例においては、前後折り目は、切り欠き部と重なる領域に形成されてよい。前後折り目が切り欠き部と重なる領域に設けられていることにより、前後折り目によって吸収コアに形成される折り癖を低減し、吸収コアの折り癖を介して体液が拡散することを抑制できる。
【００４５】
次いで、切り欠き部３５の変形を抑制する構成について詳細に説明する。図５は、図３に示す断面を基準とした図であり、吸収性物品１を着用物品としての下着２に装着した状態の変形態様を模式的に示した図である。接合部は、切り欠き部３５と重なる領域に設けられた接合延出部６５を有する。接合延出部６５は、接合部のうち、平面視にて切り欠き部３５と重なる領域に設けられた接合部である。本体接合部６１は、切り欠き部３５とコア本体３６を跨っている。接合延出部６５は、コア本体３６から切り欠き部３５に延出している。接合延出部６５は、本体接合部６１の一部によって構成されてよい。なお、本実施の形態の本体接合部６１は、前後方向Ｌに延びており、接合延出部６５は、コア本体３６と重なる領域から切り欠き部３５と重なる領域に向かってに前後方向Ｌに延出している。変形例において、本体接合部６１が幅方向Ｗに延び、接合延出部６５がコア本体３６と重なる領域から切り欠き部３５と重なる領域に幅方向Ｗに延出してもよい。切り欠き部３５と重なる領域に接合延出部６５が設けられているため、切り欠き部３５の少なくとも一部が接合延出部６５を介して着用物品に接合され、切り欠き部３５のよれを抑制できる。また、装着過程においては、接合延出部６５によって切り欠き部３５の剛性を高め、切り欠き部３５がよれた状態で着用物品に装着されることを抑制できる。加えて、上述のように、切り欠き部３５の前後方向Ｌの長さが股下域Ｓ３の前後方向の長さよりも短いため、装着時の切り欠き部３５の変形を抑制し、切り欠き部３５のよれを抑制した状態で着用物品に吸収性物品を装着できる。
【００４６】
図４に示すように、接合延出部６５の外側縁６５Ｅとコア本体３６の幅方向Ｗの距離Ｇ１は、コア本体３６の厚みＴ３６以上である。ここで、接合延出部６５の外側縁６５Ｅは、切り欠き部３５内において複数の切り欠き部３５が設けられた構成にあっては、最も幅方向Ｗの外側に位置する接合延出部６５の外側縁６５Ｅである。接合延出部６５の外側縁６５Ｅとコア本体３６の幅方向Ｗの距離Ｇ１は、接合延出部６５の外側縁６５Ｅからコア本体３６と切り欠き部３５の境界まで幅方向Ｗに延びる長さである。なお、距離Ｇ１の範囲には、接合延出部６５と重ならない領域（接合延出部同士の間隔、及び接合延出部とコア本体の間隔）が設けられていてよい。コア本体３６から幅方向Ｗの外側に接合延出部６５が連続して延びる形態にあっては、距離Ｇ１は、外側縁６５Ｅを有する接合延出部６５の幅方向Ｗの長さである。ここで、コア本体３６の厚みＴ３６は、切り欠き部３５に隣接するコア本体３６の厚みであり、上述のように、コア本体３６の厚みＴ３６が一定の領域のうち、最もコア本体の外縁側の箇所の厚みである。なお、吸収コアの厚みは、次のように測定できる。吸収性物品を液体窒素に含浸させて、吸収性物品１を凍結させる。次いで、剃刀によって凍結させた吸収性物品１を切断した後、切断した吸収性物品１を常温に戻して解凍する。そして、切断面における吸収性物品の吸収コアの厚みを電子顕微鏡（キーエンス社製ＶＥ７８００）によって測定する。
【００４７】
仮に、接合延出部６５の外側縁６５Ｅとコア本体３６の幅方向Ｗの距離がコア本体３６におけるコア本体３６の厚みＴ３６未満の場合には、コア本体３６からコア本体の厚み以上離れた箇所では、切り欠き部３５が着用物品に接合されない。そのため、幅方向Ｗの外側から内側に向かう力がかかると、切り欠き部３５内において着用物品Ｓに接合される領域がコア本体３６の厚み方向Ｔに延びるコア本体の側面に沿ってのみ配置され、着用者側に対向するように平面方向に沿って配置されないことがある。これに対して、本実施の形態によれば、コア本体３６の外縁からコア本体の厚み分以上幅方向の外側に位置する箇所で、切り欠き部３５が着用物品に接合される。コア本体３６と、コア本体３６の厚み分Ｔ３６以上幅方向Ｗの外側に位置する箇所と、の間の領域では、吸収性物品１が着用物品Ｓに追従し易く、着用物品Ｓの剛性によって切り欠き部３５のよれを低減できる。そのため、図４（ｂ）に示すように、幅方向Ｗの外側から内側に向かう力がかかった場合に、切り欠き部３５が着用物品Ｓに追従する領域は、コア本体３６の厚み方向に延びる側面に沿って配置されるとともに、着用者側に対向するように平面方向に沿って配置される。そのため、切り欠き部３５が着用物品に接合される領域を平面方向に沿って配置し続けることができ、切り欠き部３５を介して捻れ方向の力を吸収し続けることができる。
【００４８】
接合延出部６５の外側縁６５Ｅとコア本体３６の幅方向Ｗの距離Ｇ１は、切り欠き部３５の幅方向Ｗの長さに対する５０％以上であってよい。ここで、切り欠き部３５の幅方向Ｗの長さは、切り欠き部３５の内側縁３５１と前側縁３５４の幅方向Ｗの距離、及び切り欠き部３５の内側縁３５１と後側縁３５５の幅方向Ｗの距離のうち長い方の距離である。切り欠き部３５のよれを低減できる領域が、切り欠き部３５の幅方向Ｗの長さに対する５０％以上となる。切り欠き部３５を平面方向に沿って配置し続ける領域の面積をより確保し易く、切り欠き部３５を介して捻れ方向の力を吸収し続けることができる。
【００４９】
接合延出部６５は、切り欠き部の前側辺３５２と後側辺３５３を跨がっていてよい。切り欠き部の前側辺３５２と後側辺３５３を跨がる接合延出部６５によって、切り欠き部３５の前後方向Ｌの変形を抑制できる。着用状態において、切り欠き部３５の前後方向Ｌの長さを確保でき、切り欠き部３５によって捻れを吸収し続け易い。また、装着時に、切り欠き部３５が前後方向によれることを抑制でき、切り欠き部３５の前後方向Ｌの長さを確保した状態で、着用物品に装着できる。
【００５０】
接合延出部６５の外側縁６５Ｅは、吸収コア３１の外側縁３１Ｅよりも幅方向Ｗの外側に位置してもよいし、吸収コアの外側縁３１Ｅに一致していてもよい。好適には、接合延出部６５の外側縁は、吸収コア３１の外側縁３１Ｅよりも幅方向Ｗの内側に位置してよい。ここにおける吸収コア３１の外側縁３１Ｅは、吸収コア３１において最も幅方向Ｗの外側に位置する縁である。吸収コア３１の外側縁３１Ｅは、切り欠き部３５の前側縁３５４及び後側縁３５５であってもよいが、本実施の形態では、股下域Ｓ３の前後方向Ｌの中心に位置する。接合延出部６５よりも幅方向Ｗの外側に吸収コア３１の外側縁３１Ｅが配置されているため、吸収性物品１を着用物品に装着する際に、吸収コアの剛性によって切り欠き部３５の形状及び接合延出部６５の形状を維持できる。切り欠き部３５の形状を維持して着用物品に装着できるため、着用時に切り欠き部３５を介して捻れ方向の力を吸収し続けることができる。また、接合延出部６５のよれに起因して接合延出部６５が意図せずに接合する不具合を抑制できる。
【００５１】
接合延出部６５は、切り欠き部３５と重なる領域において間隔を空けて複数設けられてよい。接合延出部６５の間隔は、着用物品に接合されてなく、比較的自由に変形し易い緩衝領域として機能する。切り欠き部３５内で変形し易い箇所を設けることにより、接合延出部６５の着用物品に対する接合状態を維持し易い。また、吸収コア３１の保液性繊維の平均繊維長は、接合延出部６５の間隔よりも短くてよい。パルプ等の保液性繊維は、体液を吸収する吸収コアにおいて主となる素材である。当該保液性繊維の平均繊維長が接合延出部６５の間隔よりも短いため、保液性繊維が接合延出部６５の同士を跨ぎにくく、各接合延出部６５がそれぞれ独立して変形し易い。そのため、接合延出部６５同士の間隔が緩衝領域としてより機能し易く、接合延出部６５の着用物品に対する接合状態を維持し易い。なお、吸収コアにおいて主となる素材とは、吸収コアを構成する複数の素材において最も重量が多い素材のみならず、２番目に重量が多い素材であってもよく、好適には、吸収コアの全体に対する重量比率が３０％以上の素材であってもよい。
【００５２】
なお、平均繊維長は、重さ加重平均繊維長を意味する。重さ加重平均繊維長は、メッツォオートメーション（ｍｅｔｓｏ ａｕｔｏｍａｔｉｏｎ）社製のカヤーニファイバーラボファイバープロパティーズ（オフライン）［ｋａｊａａｎｉＦｉｂｅｒＬａｂ  ｆｉｂｅｒ ｐｒｏｐｅｒｔｉｅｓ（ｏｆｆ−ｌｉｎｅ）］により、Ｌ（ｗ）値として測定される。
【００５３】
図４に示すように、コア本体３６の厚みＴ３６は、コア本体３６と切り欠き部３５の境界から幅方向Ｗの内側に向かって高くなってよい。コア本体３６の厚みＴ３６が変化する領域は、高坪量部３３よりも幅方向Ｗの外側の領域であってもよいし、コア本体３６と切り欠き部３５の境界から１０ｍｍ以内の範囲であってもよい。吸収性物品１が脚によって挟まれると、吸収性物品１は、その側方から幅方向Ｗの内側に押圧される。また、両脚間の隙間が排泄口から離れた側（脚元側）から排泄口側に向かって狭くなっているため、吸収性物品１が脚によって挟まれると、吸収性物品１は、肌面側から押圧される。そのため、コア本体３６の切り欠き部３５側の縁における肌面に力がかかり易い。このとき、コア本体３６の厚みがコア本体３６と切り欠き部３５の境界から幅方向Ｗの内側に向かって高くなっているため、コア本体３６の切り欠き部３５側の縁の当たりを和らげることができる。コア本体３６の局所的な変形を抑制し、コア本体３６の形状を維持できる。その結果、切り欠き部３５の形状を維持し続け易く、切り欠き部３５を介して捻れ方向の力を吸収し続けることができる。
【００５４】
前切り欠き部Ｆ３５の内側縁は、前切り欠き部Ｆ３５の前後方向の中心よりも後側に位置し、後切り欠き部Ｒ３５の内側縁は、後切り欠き部Ｒ３５の前後方向の中心よりも前側に位置してよい。股下中心線Ｓ３ＣＬに対する前側と後側にそれぞれ切り欠き部３５が設けられているため、股下域Ｓ３、前側域Ｓ１、及び後側域Ｓ２のそれぞれに掛かった力を分断し、他の領域に変形が伝播することを抑制できる。また、前切り欠き部Ｆ３５の内側縁となる頂点が、股下中心線Ｓ３ＣＬ側に向かっているため、捻れ方向の変形を前後方向Ｌに拡散させずに、前切り欠き部Ｆ３５と後切り欠き部Ｒ３５によって挟まれた領域等の前後方向の狭い範囲で変形させ、他の領域に変形が伝播することを抑制できる。
【００５５】
複数のコア圧搾部８０のそれぞれの幅方向Ｗの両側には、接合部が設けられてよい。より詳細には、コア圧搾部８０の幅方向Ｗの内側と幅方向Ｗの外側のそれぞれに、本体接合部６１が配置されてよい。複数のコア圧搾部８０のそれぞれの幅方向Ｗの両側は、接合部を介して着用物品Ｓに接合されており、着用物品Ｓから浮き上がりにくい。コア圧搾部８０は、両側の接合部を基点として変形し易い。基点が両側に設けられていることにより、剛性差によってコア圧搾部８０を基点により変形し易くなる。コア圧搾部８０を基点に変形して、外力を吸収することにより、切り欠き部３５の形状を維持し易い。
【００５６】
吸収コア３１は、吸収コア３１の幅方向Ｗの長さが最も長いコア最大幅部Ｍ３１を有している。コア最大幅部Ｍ３１は、ウイング３の前端縁３Ｆよりも後側、かつウイングの後端縁３Ｒよりも前側に配置されてよい。すなわち、コア最大幅部Ｍ３１は、股下域Ｓ３に設けられてよい。コア最大幅部Ｍ３１は、脚に当たり易く、特に着用物品から浮き上がっていると、当たりが強くなり、その形状を維持し難いことがある。しかし、コア最大幅部Ｍ３１は、ウイング３の前端縁３Ｆよりも後側、かつウイング３の後端縁３Ｒよりも前側に配置されており、着用状態においてウイング３を介して着用物品Ｓ側に巻き付けられる。そのため、コア最大幅部Ｍ３１が着用物品Ｓら浮き上がり難く、コア最大幅部Ｍ３１が脚に当たり難くなり、その形状を維持し易い。よって、股下域Ｓ３において吸収コアの幅方向Ｗの長さを確保し、横漏れを抑制しつつ、吸収コア３１の形状を維持し続けることができる。
【００５７】
股下域Ｓ３における吸収コア３１の側縁は、幅方向Ｗの外側に膨らむ凸形状であってよく、股下中心部Ｓ３１における吸収コア３１の側縁は、股下端部Ｓ３２における吸収コア３１の側縁よりも幅方向Ｗの外側に位置してよい。なお、股下中心部Ｓ３１の少なくとも一部において、吸収コア３１の側縁が、股下端部Ｓ３２の吸収コア３１の側縁よりも幅方向Ｗの外側に位置していればよい。コア最大幅部Ｍ３１は、吸収コア３１の外側縁３１Ｅが位置する部分であり、股下中心線Ｓ３ＣＬ上に位置してよい。股下中心部Ｓ３１は、Ｓ３内においても最も幅方向Ｗの内側に向かう力がかかり易い。股下中心部Ｓ３１における吸収コア３１の幅方向Ｗの長さを確保することにより、横漏れをより抑制できる。
【００５８】
シート圧搾部８８の凹部と重なる領域において、被覆シート７０と非肌側シート２０は、接合されてよい。被覆シート７０と非肌側シート２０が接合されていることにより、被覆シート７０によって接合部をより保護でき、吸収性物品１の使用前における接合部の劣化を抑制できる。なお、本実施の形態の吸収性物品１の製造方法は、次の順序の工程を有してよい。肌側シート１０、吸収体３０及び非肌側シート２０を積層して積層体を形成する。この積層工程の前に、非肌側シート２０の非肌面に接合部を設ける工程を実施する。次いで、積層体における接合部を覆うように、被覆シート７０を配置する。吸収性物品１の外縁に沿って外縁よりも内側にシート圧搾部８８を形成するとともに、積層体を切断する。このように製造することにより、シート圧搾部８８成過程において、シート圧搾部８８と被覆シート７０の一部を接合することができる
【００５９】
また、シート圧搾部８８と接合部との距離Ｇ２（図４参照）は、コア本体３６の厚みＴ３６以下であってよい。シート圧搾部８８と接合部との距離は、シート圧搾部８８に対して最も近い接合部とシート圧搾部の距離であってよく、平面方向に延びる方向の距離であってよい。本実施の形態の距離Ｇ２は、シート圧搾部８８と本体接合部６１との幅方向Ｗの距離である。シート圧搾部８８を設けることにより、シート圧搾部８８による凹凸が形成されるとともに、シートが圧縮された結果、その周囲に微細な凹凸が形成される。シート圧搾部８８からコア本体３６の厚み分まで離れた範囲内では、その微細な凹凸が特に形成され易い。微細な凹凸が形成された領域に接合部が設けられていることにより、接合部が微細な凹凸内に入り込み、接合部の面積を確保し、接合強度を高めることができる。
【００６０】
本実施の形態において、シート圧搾部８８は、接合部（本体接合部６１＋ウイング接合部６２）と重ならない領域に設けられている。しかし、変形例において、シート圧搾部８８は、接合部と重なる領域に設けられていてもよい。特に、括れ部９０に最も近い本体接合部６１と重なる領域に本体接合部６１が配置されていてよい。括れ部９０は、着用時に力がかかり易い部分である。括れ部９０に近い本体接合部６１に重なるようにシート圧搾部８８が設けられていることにより、括れ部９０近傍の剛性を高め、かつ当該剛性の高い部分を着用物品Ｓに接合して変形を抑制でき、括れ部９０近傍の破断を抑制できる。また、シート圧搾部８８が形成されることによって非肌側シート２０に凹部が形成される。シート圧搾部８８の凹部内に本体接合部６１の一部が入り、本体接合部６１と非肌側シート２０の接合を強固にできる。そのため、着用物品から吸収性物品１を剥がす際に、本体接合部６１が非肌側シート２０側に残り続け易くし、着用物品Ｓに本体接合部６１が残ることを抑制できる。
【００６１】
シート圧搾部８８の幅は、一定であってもよいし、異なっていてもよい。また、シート圧搾部８８の深さは、一定であってもよいし、異なっていてもよい。一般的に、シート圧搾部８８の幅が大きくなるほど、シート圧搾部８８の剛性が高くなり、シート圧搾部８８の深さが深くなる程、シート圧搾部８８の剛性が高くなる。括れ部９０の周囲におけるシート圧搾部８８の剛性は、その他の領域のシート圧搾部８８の剛性よりも低くてよい。ここで、括れ部９０の周囲は、括れ部９０の内側縁から一定範囲（１０ｍｍ以内）であってもよいし、括れ部９０の内側縁からコア本体３６の厚みＴ３６分までの範囲であってもよい。括れ部９０は、変形基点となり易く、力が集中し易い。加えて、括れ部９０の周囲のシート圧搾部８８の剛性が高いと、更に力が括れ部９０に集中するおそれがある。括れ部９０の周囲におけるシート圧搾部８８の剛性がその他の領域のシート圧搾部の剛性よりも低いことにより、括れ部９０近傍に力が集中しすぎることを抑制し、広い範囲で力を吸収できる。
【００６２】
切り欠き部３５のうち少なくとも一部は、幅方向Ｗに延びる複数の折り目のうち最も前側に位置する折り目よりも後側に位置してよい。本実施の形態では、前切り欠き部Ｆ３５は、第２折り目ＦＬ２を前後方向Ｌに跨がっており、第２折り目ＦＬ２よりも前側と後側に設けられている。出願人が着用物品に対する吸収性物品１の位置を調査したところ、下着のクロッチ部の前端縁に、吸収性物品１の前側に位置する折り目を合わせる使用者が多数いることがわかった。クロッチ部は、着用物品内において比較的層数が多かったり伸縮しにくい素材が配置されていたりして、剛性が高い部分である。最も前側に位置する折り目よりも後側に切り欠き部３５の少なくとも一部が配置されていることにより、着用者が吸収性物品１の前側に位置する折り目にクロッチ部の前端縁を合わせた際に、切り欠き部３５の少なくとも一部がクロッチ部に配置される。クロッチ部の剛性によって切り欠き部３５の変形を抑制でき、捻れ方向の力を吸収し続けることができる。
【００６３】
吸収性物品１の括れ部９０と切り欠き部３５は、幅方向Ｗにおいて対向して位置してよい。幅方向Ｗにおいて対向した状態とは、括れ部９０から幅方向Ｗに延びる領域の少なくとも一部に切り欠き部３５が配置された状態である。折り目ＦＬ１及びＦＬ２の少なくとも一方は、括れ部９０、切り欠き部３５及びコア本体３６を跨いで配置されてよい。本実施の形態では、第１折り目ＦＬ１及び第２折り目ＦＬ２のいずれも、切り欠き部３５及びコア本体３６を跨いで配置されている。括れ部と切り欠き部３５を折り目が跨がっており、括れ部９０と切り欠き部３５が変形し易い領域であるため、折り目を基点に折り畳み易くなる。また、括れ部９０と切り欠き部３５が変形し易い領域であるため、一旦折り畳まれた状態から展開する際に、折り目を基点に展開され易い。また、括れ部９０によっても着用時の捻れ方向の力を吸収できる。加えて、括れ部と切り欠き部３５に折り目による変形基点が形成されるため、着用時に捻れ方向の力が作用した際に、当該変形基点によって柔軟に変形し易い。
【００６４】
次いで、図６に基づいて、変形例に係る接合延出部について説明する。なお、以下の変形例の説明において、上述の実施形態と同様の構成については、同符号を用いて説明を省略する。図６（ａ）から（ｄ）は、変形例１から４に係る接合延出部６５Ａから６５Ｄを示している。図６に示す図は、図４に示す部分拡大図を基準としており、接合延出部以外の構成（吸収性物品１の外形及び吸収コアの外形）は、実施形態と同様である。
【００６５】
変形例１に係る接合延出部６５Ａは、図６（ａ）に示すように、前後方向Ｌに延びており、切り欠き部３５の内側縁３５１から幅方向Ｗの外側に向かって連続して延びている。切り欠き部３５には、接合延出部６５Ａ同士の間隔が設けられていない。変形例１に係る接合延出部６５Ａによれば、切り欠き部３５の内側縁３５１（コア本体と切り欠き部の境界）から接合延出部６５Ａの外側縁までの全域に亘って切り欠き部３５の剛性を高めることができる。
【００６６】
変形例２に係る接合延出部６５Ｂは、図６（ｂ）に示すように、前後方向Ｌに延びており、切り欠き部３５の内側縁３５１と離間して配置されている。変形例２に係る接合延出部６５Ｂによれば、切り欠き部３５の内側縁３５１と接合延出部６５Ｂの間隔が緩衝領域として機能し、切り欠き部３５内で変形し易い箇所を設けることにより、接合延出部６５Ｂの着用物品に対する接合状態を維持し易い。
【００６７】
変形例３に係る接合延出部６５Ｃは、図６（ｃ）に示すように、幅方向Ｗに延びており、切り欠き部３５の内側縁３５１から幅方向Ｗに連続して延びている。接合延出部６５Ｃは、前側辺３５２及び後側辺３５３と離間している。変形例３に係る接合延出部６５Ｃによれば、接合延出部６５Ｃと前側辺３５２との間隔及び接合延出部６５Ｃと後側辺３５３との間隔が緩衝領域として機能する。切り欠き部３５内で変形し易い箇所を設けることにより、接合延出部６５Ｃの着用物品に対する接合状態を維持し易い。
【００６８】
変形例４に係る接合延出部６５Ｄは、図６（ｄ）に示すように、幅方向Ｗに延びており、前後方向Ｌに間隔を空けて複数設けられている。複数の接合延出部６５Ｄにおいて、接合延出部の外側縁６５Ｅの位置が異なっている。当該構成にあっては、最も幅方向Ｗの外側に位置する外側縁６５Ｅとコア本体３６の幅方向Ｗの距離が、コア本体３６の厚みＴ３６以上であってよい。変形例４に係る接合延出部６５Ｄによれば、複数の接合延出部６５Ｄが前後方向Ｌに間隔を空けて配置されているため、当該間隔が緩衝領域として機能する。切り欠き部３５内で変形し易い箇所を設けることにより、接合延出部６５Ｄの着用物品Ｓに対する接合状態を維持し易い。
【００６９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００７０】
捻れる力を吸収し続け易い吸収性物品を提供することができる。
【符号の説明】
【００７１】
１      ：吸収性物品
１０    ：肌側シート
２０    ：非肌側シート
３０    ：吸収体
３１    ：吸収コア
３５    ：切り欠き部
３６    ：コア本体
６０    ：接合部
６５    ：接合延出部
６５Ｅ  ：接合延出部の外側縁
【図１】
0006898978.tif 000002
【図２】
0006898978.tif 000003
【図３】
0006898978.tif 000004
【図４】
0006898978.tif 000005
【図５】
0006898978.tif 000006
【図６】
0006898978.tif 000007